(57)【要約】      （修正有）【課題】寝汗や汚れで汚染された場合であっても、簡易な構成で良好な衛生状態に容易に復することが可能な体圧分散構造体及びマットレスを提供する。【解決手段】弾発性を有するクッション部３０及びクッション部を被覆するカバー部を有する本体部２０、クッション部の上面２１に対して着脱可能に形成されたシート状のピロートップ５０を備える。寝汗がマットレスカバーに浸透した場合や、マットレスカバーに汚れが付着した場合は、マットレスカバーを取り外した後に、ピロートップを本体部から取り外して、洗浄することができるので、マットレス全体が汚染されることを未然に防止することができ、良好な衛生状態に容易に復することができる。【選択図】図１
0003185258.tif 000002
【実用新案登録請求の範囲】
【請求項１】
弾発性を有するクッション部、及び該クッション部を被覆するカバー部を有す
る本体部と、
該本体部における前記クッション部の弾発する方向の上面に対して着脱可能に
形成されたシート状の支持部と、
を備えることを特徴とする体圧分散構造体。
【請求項２】
前記本体部に対して前記支持部を着脱可能に係着する係着部材を備えることを
特徴とする請求項１に記載の体圧分散構造体。
【請求項３】
前記係着部材は、
前記本体部における前記クッション部の弾発する方向の上面に設けられた第１
係着部材と、
該第１係着部材と係着する、前記支持部に設けられた第２係着部材と、
を備えることを特徴とする請求項２に記載の体圧分散構造体。
【請求項４】
請求項１〜３のいずれか１項に記載の体圧分散構造体を用いて形成されたこと
を特徴とするマットレス。
【考案の詳細な説明】
【技術分野】
【０００１】
本考案は、体圧分散構造体及びマットレスに関する。
【背景技術】
【０００２】
主に人の体圧を分散する体圧分散構造体としては、例えば、ベッドのマットレ
スやソファのソファクッション等の大型家財品が挙げられる。このような体圧分
散構造体は、コイルスプリング等の弾発性部材で構成されるクッション部、ウレ
タンフォーム等で形成されてクッション部の上に積層される支持部、この支持部
及びクッション部を被覆するカバー部を主要構成として備える（例えば、特許文
献１を参照）。
【０００３】
このような体圧分散構造体が、例えばベッドのマットレスとして製品化され、
このマットレスを購入したユーザに使用される場合は、一般に、マットレスの表
面が布帛製のマットレスカバー等によって被覆される。マットレスカバー等によ
って被覆されたマットレスは、例えば、枠状に構成された木製のベッドフレーム
に載置されて使用される。
【先行技術文献】
【特許文献】
【０００４】
【特許文献１】特開２００２−３３６０８６公報
【考案の概要】
【考案が解決しようとする課題】
【０００５】
一般に、上記構成を有する体圧分散構造体としてのマットレスがユーザにより
使用されると、ユーザの寝汗がマットレスカバーを介してカバー部、支持部及び
クッション部に浸透してマットレスが汚染されたり、マットレスカバーに付着し
た汚れによってマットレスが汚染されたりすることがある。マットレスに浸透し
た寝汗や汚れ等をそのまま放置すると、ダニやカビ等が発生する原因ともなり、
衛生上の不具合が発生することが想定される。
【０００６】
ところが、マットレスのような体圧分散構造体は、上記のように大型家財品で
あるがゆえに、寝汗や汚れ等によって汚染された場合であっても洗浄することが
現実的に難しいことから、良好な衛生状態に復することが極めて困難である。
【０００７】
本考案は、上記課題に鑑みてなされたものであり、その目的は、汚染された場
合であっても、簡易な構成で良好な衛生状態に容易に復することが可能な体圧分
散構造体及びマットレスを提供することにある。
【課題を解決するための手段】
【０００８】
上記課題を解決するための請求項１に記載の考案による体圧分散構造体は、弾
発性を有するクッション部、及び該クッション部を被覆するカバー部を有する本
体部と、該本体部における前記クッション部の弾発する方向の上面に対して着脱
可能に形成されたシート状の支持部と、を備えることを特徴とする。
【０００９】
この構成によれば、ユーザの使用により、体圧分散構造体の支持部に寝汗が浸
透した場合、あるいは汚れが付着した場合は、支持部を本体部から取り外して、
支持部を洗浄することができる。従って、支持部を本体部から取り外して洗浄す
ることによって、体圧分散構造体の全体が汚染されることを未然に防止すること
ができ、かつ体圧分散構造体を良好な衛生状態に容易に復することができる。
【００１０】
請求項２に記載の考案による体圧分散構造体は、請求項１に記載の体圧分散構
造体において、前記本体部に対して前記支持部を着脱可能に係着する係着部材を
備えることを特徴とする。
【００１１】
この構成によれば、支持部を本体部から取り外す場合は、係着部材の係着を解
除することによって容易に取り外すことができる。従って、支持部に汚れ等が浸
透した場合であっても、速やかに支持部を本体部から取り外すことができる。一
方、支持部を本体部に装着する場合も、係着部材で係着させるという簡易な動作
で支持部を本体部に装着することができる。
【００１２】
請求項３に記載の考案による体圧分散構造体は、請求項２に記載の体圧分散構
造体において、前記係着部材は、前記本体部における前記クッション部の弾発す
る方向の上面に設けられた第１係着部材と、該第１係着部材と係着する、前記支
持部に設けられた第２係着部材と、を備えることを特徴とする。
【００１３】
この構成は、請求項２の係着部材の具体的構成を限定したものである。この構
成によれば、係着部材の第１係着部材と第２係着部材との係着を解除するという
簡易な構成で支持部を取り外すことができる。従って、本体部から支持部を取り
外す作業効率性が向上する。
【００１４】
上記課題を解決するための請求項４に記載の考案によるマットレスは、請求項
１〜３のいずれか１項に記載の体圧分散構造体を用いて形成されたことを特徴と
する。この構成によれば、体圧分散構造体は、大型家財品であるマットレスに用
いることができる。従って、簡易な構成で、マットレスを良好な衛生状態に容易
に復することが可能となる。
【考案の効果】
【００１５】
この考案によると、ユーザの使用により、支持部が汚染された場合は、支持部
を本体部から取り外して、支持部を洗浄することができる。従って、体圧分散構
造体の全体が汚染されることを未然に防止することができ、かつ体圧分散構造体
を良好な衛生状態に容易に復することができる。従って、体圧分散構造体が汚染
されることに起因した衛生上の不具合が発生することを防止することができる。
【図面の簡単な説明】
【００１６】
【図１】本実施の形態に係る体圧分散構造体を用いたマットレスの概略を示す分解説明図である。
【図２】同じく、本実施の形態に係るマットレスの概略を説明する図である。
【図３】図２のＩＩＩ−ＩＩＩ線断面図である。
【図４】本実施の形態に係るマットレスを運送及び搬入する際の収容方法の概略を説明する図であり、（ａ）はマットレスを収容した状態を説明する図、（ｂ）は展開した状態を説明する図である。
【考案を実施するための形態】
【００１７】
次に、図１〜図４を参照して本考案の実施の形態について説明する。なお、本
考案の一実施の形態として、体圧分散構造体が、いわゆるベッド用のマットレス
として構成された場合を例として説明する。
【００１８】
図１は、本実施の形態に係る体圧分散構造体を用いたマットレスの概略を示す
分解説明図、図２は、マットレスの概略を説明する図、図３は、図２のＩＩＩ−
ＩＩＩ線断面図である。
【００１９】
図示のように、マットレス１０は、長尺方向Ｘ及び短尺方向Ｙに展伸する上面
２１を有する平面視略矩形の本体部２０、本体部２０の上面２１に重ね合わせら
れて上面２１をほぼ全面に亘って遮蔽する支持部となるピロートップ５０を主要
構成として備える。
【００２０】
本体部２０は、長尺方向Ｘに伸長する両端縁２０ａ、２０ａ、及び短尺方向Ｙ
に伸長する上端縁２０ｂ、下端縁２０ｃを有する平面視略矩形の立方体状であっ
て、クッション部３０及びクッション部３０を被覆するカバー部４０によって構
成される。
【００２１】
クッション部３０は、本実施の形態では、ウレタンフォームで柔軟性を有して
形成された第１クッション部３１を有する。この第１クッション部３１は、上面
３１ａ及び上面３１ａと対向する下面３１ｂ、上面３１ａと下面３１ｂとを連続
させる側面３１ｃを有する平面視略矩形の立方体状に形成される。
【００２２】
この第１クッション部３１には、その上面３１ａの略中央部分に収容部３１Ａ
が凹設されている。この収容部３１Ａに、本実施の形態では複数のポケットコイ
ル３２が収容され、クッション部３０が弾発性を有するように構成されている。
【００２３】
具体的には、ポケットコイル３２はそれぞれ、本実施の形態では、不織布等の
柔軟性を有する素材で形成されたコイル収容袋３３に収容される。このコイル収
容袋３３は、ポケットコイル３２を圧縮することによりポケットコイル３２に付
勢力が作用する方向がクッション部３０の弾発方向Ｚとなるように、収容部３１
Ａに収容される。
【００２４】
収容部３１Ａに、ポケットコイル３２が収容されたコイル収容袋３３が収容さ
れた状態で、第１クッション部３１の上面３１ａに、ウレタンフォームで柔軟性
を有して形成された第２クッション部３４が重ね合わせられて、上面３１ａ及び
収容部３１Ａが遮蔽される。
【００２５】
これら第１クッション部３１、コイル収容袋３３に収容されたポケットコイル
３２、及び第２クッション部３４によってクッション部３０が構成され、このク
ッション部３０がカバー部４０によって被覆されて、本体部２０が形成される。
【００２６】
ピロートップ５０は、本実施の形態では、ウレタンフォームで柔軟性を有して
形成された基部５１、及びこの基部５１を被覆する外皮５２を有するシート状で
あって、本体部２０におけるクッション部３０の弾発方向Ｚの上面２１に重ね合
わせられて、上面２１に対して着脱可能に形成されている。
【００２７】
このピロートップ５０は、係着部材６０によって本体部２０と着脱可能に形成
されている。係着部材６０は、本実施の形態では面ファスナで構成され、本体部
２０の上面２１に設けられた第１係着部材となる雄部材６１、及びこの雄部材６
１と係着する、ピロートップ５０に設けられた第２係着部材となる雌部材６２を
有する。
【００２８】
本実施の形態では、雄部材６１は、本体部２０の両端縁２０ａ、２０ａに沿っ
てそれぞれ３枚（両端縁２０ａ、２０ａの合計で６枚）が上面２１に貼着され、
雌部材６２は、ピロートップ５０が本体部２０の上面２１に重ね合わせられた場
合における雄部材６１と対応する位置に貼着される。
【００２９】
本体部２０の上面２１にピロートップ５０が重ね合わせられ、係着部材６０を
介して本体部２０にピロートップ５０が装着されることによって、マットレス１
０が構成される。このマットレス１０が購入者であるユーザに使用される場合は、
一般的に、図示しないマットレスカバーで被覆されたうえで使用される。
【００３０】
ユーザの使用により、寝汗がマットレスカバーに浸透した場合や、あるいはマ
ットレスカバーに汚れが付着した場合は、マットレスカバーを取り外した後に、
ピロートップ５０を本体部２０から取り外して、ピロートップ５０を洗浄するこ
とができる。
【００３１】
従って、マットレスカバーが汚染された場合にピロートップ５０を本体部２０
から取り外して洗浄することによって、マットレス１０の全体が汚染されること
を未然に防止することができ、かつマットレス１０を良好な衛生状態に容易に復
することができる。
【００３２】
本体部２０とピロートップ５０とが係着部材６０によって係着されたピロート
ップ５０を本体部２０から取り外す場合は、係着部材６０の雄部材６１と雌部材
６２との係着を解除するという簡易な構成で取り外すことができる。従って、本
体部２０からピロートップ５０を取り外す作業効率性が向上する。
【００３３】
なお、ピロートップ５０は、ユーザの寝心地に影響を及ぼすことから、複数の
異なる柔軟性を有するピロートップ５０を準備しておき、ユーザの要望に応じて
所望の柔軟性を有するピロートップ５０を提供することもできる。
【００３４】
すなわち、本体部２０とピロートップ５０とを別体として構成することによっ
て、ユーザの所望する柔軟性を有するピロートップ５０を備えたマットレス１０
を提供することができる。
【００３５】
次に、本実施の形態に係るマットレス１０を運送及び搬入する際の収容方法に
ついて、図４に基づいて説明する。
【００３６】
図４（ａ）はマットレス１０を収容した状態を説明する図、（ｂ）は展開した
状態を説明する図である。図４（ａ）で示すように、本実施の形態では、マット
レス１０を運送及び搬入する際には、まず、本体部２０の上面２１にピロートッ
プ５０が装着された状態で、本体部２０の上端縁２０ｂあるいは下端縁２０ｃの
いずれか一方から他方に向かって、長尺方向Ｘに沿ってマットレス１０を巻回し
てロール状にする。
【００３７】
その後、巻回してロール状としたマットレス１０を圧縮袋に封入して、マット
レス１０を圧縮する。この状態で、マットレス１０を運送及び搬送する。
【００３８】
なお、マットレス１０を巻回してロール状にする点を考慮すれば、本体部２０
を構成するクッション部３０、特に第１クッション部３１及び第２クッション部
３４は、巻回しやすい構造を有する材質で形成されていることが好ましい。
【００３９】
ロール状にされたマットレス１０を、例えば購入したユーザの使用場所で復元
する場合は、圧縮袋からマットレス１０を取り出すと、矢線で示した展開方向Ｆ
に沿って展開する。展開した状態のマットレス１０を、図４（ｂ）に示す。
【００４０】
展開して復元したマットレス１０は、ユーザによって任意にマットレスカバー
が施され、すぐに使用することが可能となる。
【００４１】
このように、本実施の形態のマットレス１０の運送及び搬入する際の収容方法
によれば、マットレス１０をコンパクトに収容することが可能となり、マットレ
ス１０の運送及び搬入等の作業を容易に行うことができ、かつ作業コストが削減
される。
【００４２】
なお、本考案は上記実施の形態に限定されることはなく、考案の趣旨を逸脱し
ない範囲で種々変更可能である。上記実施の形態では、体圧分散構造体がマット
レス１０に用いられた場合を説明したが、例えば、ソファのソファクッションで
あってもよい。
【００４３】
上記実施の形態では、本体部２０とピロートップ５０とが面ファスナで構成さ
れた係着部材６０によって係着された場合を説明したが、面ファスナに限られず、
例えばスナップボタンや紐等で本体部２０とピロートップ５０とを係着すること
もできる。
【００４４】
上記実施の形態では、雄部材６１が本体部２０に設けられ、雌部材６２がピロ
ートップ５０に設けられた場合を例として説明したが、雌部材６２が本体部２０
に設けられ、雄部材６１がピロートップ５０に設けられていてもよい。
【００４５】
上記実施の形態では、クッション部３０がポケットコイル３２によって弾発す
ることを説明したが、ポケットコイル３２に限定されずに、例えばボンネルコイ
ル、ウレタンコイル、フリーエンドコイル等の弾発性を有するコイルを用いるこ
とができる。
【符号の説明】
【００４６】
１０    マットレス（体圧分散構造体）
２０    本体部
２１    上面
３０    クッション部
３２    ポケットコイル
４０    カバー部
５０    ピロートップ（支持部）
６０    係着部材
６１    雄部材（第１係着部材）
６２    雌部材（第２係着部材）
Ｆ    展開方向
Ｘ    長尺方向
Ｙ    短尺方向
Ｚ    弾発方向
【図１】
0003185258.tif 000003
【図２】
0003185258.tif 000004
【図３】
0003185258.tif 000005
【図４】
0003185258.tif 000006